(57)【要約】【課題】容易かつ低コストで床面に敷設されるシート状床材の端部を複数の異なるＲ形状に型付けするあるいは複数の異なるＲ形状コーナー部に沿うように押圧することができる敷設工具を提供することを目的としている。【解決手段】ハンドル部の側面に押圧ローラが回転自在に設けられ、前記押圧ローラを壁の下端に沿って転動させることによって、床面に敷設されるシート状床材の端部を床面と壁の下端とのコーナー部に沿うように型付けするあるいは前記コーナー部に沿うように押圧するシート状床材の敷設工具において、前記押圧ローラが交換可能にハンドル部に支持されていることを特徴としている。【選択図】      図３
0003109184.tif 000002
【実用新案登録請求の範囲】
【請求項１】
ハンドル部の側面に押圧ローラが回転自在に設けられ、前記押圧ローラを壁の下端に沿って転動させることによって、床面に敷設されるシート状床材の端部を床面と壁の下端とのコーナー部に沿うように型付けするあるいは前記コーナー部に沿うように押圧するシート状床材の敷設工具において、
前記押圧ローラが交換可能にハンドル部に支持されていることを特徴とする敷設工具。
【請求項２】
押圧ローラが、押圧ローラの回転による軸受け部への摩擦抵抗力に抗する緩み止め手段を介してハンドル部に着脱自在に固定される軸受け部を備えた軸ピンに回転自在に支持されている請求項１に記載の敷設工具。
【請求項３】
ハンドル部が、断面視略ハ字形を形成するように対面して配置された２つの板状支持部を有し、少なくともいずれか一方の板状支持部に軸支孔がそれぞれ穿設されていて、
軸ピンが、押圧ローラに設けられた軸孔に貫通された状態で、板状支持部のハ字形の外側面側からその先端に設けられたねじ部を前記軸支孔に挿通され、軸支孔を貫通したねじ部の先端部に緩み止め手段を介してナットを前記ねじ部にねじ込むことによって板状支持部に固定される請求項１または請求項２に記載の敷設工具。
【請求項４】
緩み止め手段が、スプリングワッシャまたは歯付きワッシャである請求項３に記載の敷設工具。
【請求項５】
板状支持部に数複数の軸支孔が穿設されている請求項１〜請求項４のいずれかに記載の敷設工具。
【請求項６】
周面形状の異なる複数種の交換用押圧ローラを備えている請求項１〜請求項５のいずれかに記載の敷設工具。
【考案の詳細な説明】
【技術分野】
【０００１】
本考案は、床面に敷設されるシート状床材の端部を床面と壁面のコーナー部に沿うように型付けするあるいは前記コーナー部に沿うように押圧する際に用いるシート状床材の敷設工具に関する。
【背景技術】
【０００２】
従来より、コンクリート床面等においては、意匠性を高めるために樹脂製のシート状床材等が敷きつめられている。
シート状床材は、通常一方の壁際より反対側の壁に向かって敷設して行きシート状床材の余った部分を切断し、切断縁を反対側の壁の下端（幅木等）と床面とのコーナーに一致させるようにしている。
【０００３】
このシート状床材を反対側の壁の下端と床面とのコーナーに一致させるように切断する方法としては、シート状床材が薄肉で折れ曲げやすい材質であれば、図６に示すように、シート状床材１００の余った部分を屈曲部が壁の下端２００と床面３００とのコーナー４００に沿うようにＬ字形に屈曲させて、このＬ字の屈曲部をカッター５００で切断することによって切断縁を反対側の壁の下端と床面とのコーナーに一致させることができる（たとえば、特許文献１参照）。
【０００４】
樹脂製の多層構造になったシート状床材や硬質樹脂からなるシート状床材の場合、シート状床材を上記のようにＬ字形に屈曲させようとすると、屈曲部に層間剥離やひび割れ等が生じてしまい、切断縁がうまく壁の下端と床面とのコーナーに一致しない場合がある。
【０００５】
そこで、従来は、図７に示すように、ハンドル部７１０の側面に周面が所定のＲ形状をした押圧ローラ７２０が回転自在に設けられた敷設工具７００を用意し、シート状床材の余った部分をこの敷設工具の押圧ローラ７２０でシート状床材１００の一部を壁の下端２００および床面との間で挟みつつ押圧ローラ７２０を壁の下端２００に沿って転動させることによって、一旦、シート状床材の床面と壁の下端２００とのコーナー部に対面する部分を押圧ローラ７２０のＲ形状となるように形付けしたのち、たとえば、図示していないが、シート状床材１００のＲ形状に沿うＲ形状のガイド部を備えた市販のカッター装置（株式会社広島のパーフェクトカッター（商標）など）を用いてシート状床材の形付け部のＲ形状の稜線に沿ってシート状床材を切断するようにしている。
【０００６】
また、図８に示すように、床面３００と壁の下端２００とのコーナー部にまず面木８００を設置し、その後、樹脂製のシート状床材１００を床面３００から面木８００の上端まで敷きつめることによって、室内の床と壁とのコーナー部に埃等が溜まらないようにしたシート状床材１００の敷設構造もある。
このような敷設構造においては、シート状床材１００を接着剤を介して床面３００から面木８００の上端まで敷きつめるとともに、上記敷設工具７００の押圧ローラ７２０を転動させながらシート状床材１００を面木８００に押圧し、シート状床材１００を接着剤によって面木８００にしっかりと接着させるようにしている。
【０００７】
ところで、従来の上記敷設工具７００は、ハンドル部７１０の側面にねじ孔が穿設され、このねじ孔に押圧ローラの軸ピン先端に設けられたねじ部をねじ込むことによって押圧ローラ７２０を軸ピンを介して回転自在にハンドル部７１０に支持させている。また、ねじ部をハンドル部のねじ孔にねじ込む際に接着剤をねじ部に塗布し、接着剤によって使用中の押圧ローラ７２０の回転による摩擦や振動によってねじが緩み軸ピンが離脱したりしないようにしている。
【０００８】
一方、コーナーに合わせてシート状床材を切断する場合、床材の材質や構造等によって形付けするＲ形状が異なる。また、面木の大きさやＲ形状などもまちまちである。したがって、押圧ローラもいろいろなＲ形状のものが必要となってくる。
【０００９】
しかし、上述のように、従来の敷設工具７００は、軸ピンがハンドル部７１０に接着剤によって固定されているため、押圧ローラ７２０を交換することができない。したがって、押圧ローラの形状が異なる複数の敷設工具を用意しなければならず、コストがかかるとともに、保管のスペースの点でも問題がある。
【００１０】
【特許文献１】特開平５−１３８５８６号公報
【考案の開示】
【考案が解決しようとする課題】
【００１１】
本考案は、上記事情に鑑みて、容易かつ低コストで床面に敷設されるシート状床材の端部を複数の異なるＲ形状に型付けするあるいは複数の異なるＲ形状コーナー部に沿うように押圧することができる敷設工具を提供することを目的としている。
【課題を解決するための手段】
【００１２】
上記目的を達成するために、本考案の請求項１に記載の敷設工具（以下、「請求項１の敷設工具」と記す）は、ハンドル部の側面に押圧ローラが回転自在に設けられ、前記押圧ローラを壁の下端に沿って転動させることによって、床面に敷設されるシート状床材の端部を床面と壁の下端とのコーナー部に沿うように型付けするあるいは前記コーナー部に沿うように押圧するシート状床材の敷設工具において、前記押圧ローラが交換可能にハンドル部に支持されていることを特徴としている。
【００１３】
本考案の請求項２に記載の敷設工具（以下、「請求項２の敷設工具」と記す）は、請求項１の敷設工具において、押圧ローラが、押圧ローラの回転による軸受け部への摩擦抵抗力に抗する緩み止め手段を介してハンドル部に着脱自在に固定される軸受け部を備えた軸ピンに回転自在に支持されていることを特徴としている。
【００１４】
本考案の請求項３に記載の敷設工具（以下、「請求項３の敷設工具」と記す）は、請求項１または請求項２の敷設工具において、ハンドル部が、断面視略ハ字形を形成するように対面して配置された２つの板状支持部を有し、少なくともいずれか一方の板状支持部に軸支孔がそれぞれ穿設されていて、軸ピンが、押圧ローラに設けられた軸孔に貫通された状態で、板状支持部のハ字形の外側面側からその先端に設けられたねじ部を前記軸支孔に挿通され、軸支孔を貫通したねじ部の先端部に緩み止め手段を介してナットを前記ねじ部にねじ込むことによって板状支持部に固定されることを特徴としている。
【００１５】
本考案の請求項４に記載の敷設工具（以下、「請求項４の敷設工具」と記す）は、請求項３の敷設工具において、緩み止め手段が、スプリングワッシャまたは歯付きワッシャであることを特徴としている。
【００１６】
本考案の請求項５に記載の敷設工具（以下、「請求項５の敷設工具」と記す）は、請求項１〜請求項４のいずれかの敷設工具において、板状支持部に数複数の軸支孔が穿設されていることを特徴としている。
【００１７】
本考案の請求項６に記載の敷設工具（以下、「請求項６の敷設工具」と記す）は、請求項１〜請求項５のいずれかの敷設工具において、周面形状の異なる複数種の交換用押圧ローラを備えていることを特徴としている。
【００１８】
本考案において、押圧ローラの材質は、用途に応じて適宜選択され、特に限定されないが、たとえば、鉄やステンレス鋼等の金属材料、ポリプラスチック社の登録商標ジュラコンに代表されるアセタール樹脂等が挙げられる。
【考案の効果】
【００１９】
本考案にかかる敷設工具は、以上のように、押圧ローラが交換可能にハンドル部に支持されているので、周面のＲ形状の異なる複数種の押圧ローラを容易しておけば、１種類のハンドル部だけで、容易に床面に敷設されるシート状床材の端部を複数の異なるＲ形状に型付けするあるいは複数の異なるＲ形状コーナー部に沿うように押圧することができる。したがって、低コスト化することができる。勿論、押圧ローラを複数種容易するだけであるので、保管スペースも少なくて済む。
【００２０】
また、請求項２の敷設工具のように、押圧ローラが、押圧ローラの回転による軸部への摩擦抵抗力に抗する緩み止め手段を介してハンドル部に着脱自在に固定される軸部を備えた軸ピンに回転自在に支持されている構成とすれば、使用中に軸ピンが外れりすることがない。
請求項４の敷設工具のように、緩み止め手段としてスプリングワッシャや歯付きワッシャを用いるようにすれば、構造が簡単で組み立て作業も容易である。
【考案を実施するための最良の形態】
【００２１】
以下に、本考案を、その実施の形態をあらわす図面を参照しつつ詳しく説明する。
図１〜図３は、本考案にかかる敷設工具の１つの実施の形態をあらわしている。
【００２２】
図１〜図３に示すように、この敷設工具１は、ハンドル部２と、２つの押圧ローラ３ａと、２つのガイドローラ４と、４本の軸ピン５を備えている。
ハンドル部２は、ハンドル本体２１と、ローラ支持部２２とを備えている。
【００２３】
ハンドル本体２１は、把持部２１ａと、把持部２１ａの両端から折れ曲がるように形成された脚部２１ｂとを備えた略コ字形をしていて、脚部２１ｂの端面に図示していないがねじ孔が設けられている。
ローラ支持部２２は、略矩形をしたステンレス鋼製の板材を折り曲げ加工して形成されていて、中央部にハンドル本体２１の固定部２２ａを有し、この固定部２２ａの幅方向両端から折れ曲がって断面視略ハ字形を形成するように対面して配置された２つの板状支持部２２ｂを備えている。
【００２４】
固定部２２ａは、図示していないが、ハンドル本体２１の両脚部２１ｂのねじ孔に対応する位置にそれぞれボルト挿通孔が穿設されていて、ハンドル本体２１のねじ孔とボルト挿通孔とを一致させた状態で、固定部２２ａのハンドル本体２１と反対側の面から固定ボルト２３をねじ孔にねじ込むことによってハンドル本体２１が固定されている。
板状支持部２２ｂは、それぞれ等間隔で３つの軸支孔２２ｃが下端縁に対して平行に穿設されている。
【００２５】
そして、２つの押圧ローラ３ａが一方の板状支持部２２ｂに装着され、２つのガイドローラ４が他方の板状支持部２２ｂに装着されている。
すなわち、押圧ローラ３ａは、図３に示すように、一方の端面３１から他方に向かって周面が所望曲率に形成された湾曲面になっていて、中心に軸孔３２が穿設されている。
【００２６】
軸ピン５は、図２に示すように、ドライバの刃受け溝が形成された頭部５１と、軸支孔２２ｃより大径の軸受け部５２と、軸支孔２２ｃと略同径の軸支孔挿通部５３と、軸支孔挿通部５３より小径のねじ部５４とを備えている。
【００２７】
そして、押圧ローラ３ａは、端面３１から軸ピン５の先端部がでるように、軸孔３２に軸ピン５が挿入され、軸支孔挿通部５３に平ワッシャ６が嵌装された状態で、ねじ部５４を先頭にして平ワッシャ６が板状支持部２２ｂの壁面で受けられるまでねじ部を軸支孔２２ｃに挿入する。
つぎに、軸支孔２２ｃから板状支持部２２ｂの裏側に突出したねじ部５４に平ワッシャ７、緩み止め手段としての歯付きワッシャ８の順に嵌装したのち、ナット９を締め込むことによって板状支持部２２ｂに回転自在に支持されるようになっている。
【００２８】
一方、ガイドローラ４は、円錐台形をしていて、その小径側が板状支持部２２ｂ側を向くように、押圧ローラ３ａと同様にして他方の板状支持部２２ｂに回転自在に支持されるようになっている。
【００２９】
この敷設工具１は、以上のようになっているので、押圧ローラ３ａを、図４に示すように、ナット９を工具等で緩めるようにすれば、湾曲面の曲率の異なる押圧ローラ３ｂに容易に交換することができる。
また、軸支孔２２ｃが３つ設けられているので、図５に示すように、大きな押圧ローラ３ｃであれば、真ん中の軸支孔２２ｃのみを用いて板状支持部２２ｂに支持させることもできる。
【００３０】
本考案は、上記の実施の形態に限定されない。たとえば、上記の実施の形態では、緩み止め手段として歯付きワッシャが用いられているが、ねじ部先端に割りピンを装着する方法、ダブルナットにする方法なども採用することができる。
上記の実施の形態では、軸支孔が各板状支持部に３つずつ設けられていたが、２つでも構わないし、４つ以上設けられていても構わない。また、２つの板状支持部でその数が異なっていても構わない。
【００３１】
また、上記の実施の形態では、片方の板状支持部にガイドローラが支持されていたが、一方の板状支持部に他方の板状支持部と異なる形状の押圧ローラを支持させても構わない。
さらに、上記の実施の形態では、ガイドローラも交換可能になっているが、ガイドローラの軸はハンドル部に接着固定されていても構わない。
【図面の簡単な説明】
【００３２】
【図１】本考案にかかる敷設工具の１つの実施の形態をあらわす斜視図である。
【図２】図１の敷設工具の分解斜視図である。
【図３】図１のＸ−Ｘ線断面図である。
【図４】図１の敷設工具の他の使用形態をあらわす斜視図である。
【図５】図１の敷設工具の他の使用形態をあらわす斜視図である。
【図６】柔らかいシート状床材の敷設方法を説明する斜視図である。
【図７】従来の敷設工具の使用状態の斜視図である。
【図８】敷設工具を用いるシート状床材の敷設構造を説明する断面図である。
【符号の説明】
【００３３】
１  敷設工具
２  ハンドル部
３ａ，３ｂ，３ｃ  押圧ローラ
５  軸ピン
５２  軸受け部
５４  ねじ部
８  歯付きワッシャ（緩み止め手段）
９  ナット
【図１】
0003109184.tif 000003
【図２】
0003109184.tif 000004
【図３】
0003109184.tif 000005
【図４】
0003109184.tif 000006
【図５】
0003109184.tif 000007
【図６】
0003109184.tif 000008
【図７】
0003109184.tif 000009
【図８】
0003109184.tif 000010